(57)【要約】【課題】  取扱いが容易となり、かつ、組立てを簡単に行うことができる、足場を提供する。【解決手段】  足場２は、複数の支柱３、３と、それら支柱３、３を連結する複数の連結材４、４を備える。ここで、支柱３を構成する支柱材５は、筒状に形成された第１部材５ａと、筒状に形成されて第１部材５ａから連続して延びるようにその第１部材５ａ内から引き出される第２部材５ｂと、その第２部材５ｂから連続して延びるようにその第２部材５ｂ内から引き出される第３部材５ｃとを、備える。こうして、支柱材５は、伸縮可能に形成される。【選択図】  図４
2005090061.tif 000002
【特許請求の範囲】
【請求項１】
複数の支柱と、それら支柱を連結する複数の連結材とを備える足場であって、
前記支柱を構成する支柱材は、筒状に形成された第１部材と、その第１部材から連続して延びるようにその第１部材内から引き出される第２部材とを備えて、伸縮可能に形成されていることを特徴とする足場。
【請求項２】
前記支柱材における前記第２部材は、一対設けられており、その一対の第２部材における一方の第２部材は、前記第１部材から上方に連続して延びるようにその第１部材内から上方に引き出され、そして、前記一対の第２部材における他方の第２部材は、前記第１部材から下方に連続して延びるようにその第１部材内から下方に引き出されることを特徴とする請求項１に記載の足場。
【請求項３】
前記一対の第２部材は、前記第１部材内に収容されているとき、前記一方の第２部材と前記他方の第２部材との基端部が、対向位置することを特徴とする請求項２に記載の足場。
【請求項４】
前記支柱材は、前記第１部材からの前記第２部材の引き出し位置を調整して、その第２部材を前記第１部材に固定する、調整固定手段を備えることを特徴とする請求項１ないし３のいずれか１項に記載の足場。
【請求項５】
前記第１部材と前記第２部材との間には、前記第２部材が前記第１部材から抜け出るのを阻止する、抜止め手段が設けられていることを特徴とする請求項１ないし４のいずれか１項に記載の足場。
【請求項６】
前記第１部材には、前記複数の連結材における適宜の連結材を接続するための第１接続具が設けられており、
前記第２部材の先端部には、前記複数の連結材における適宜の連結材を接続するための第２接続具が設けられていることを特徴とする請求項１ないし５のいずれか１項に記載の足場。
【請求項７】
前記一対の第２部材は、筒状に形成されており、
前記支柱材は、一対の第３部材を備え、その一対の第３部材における一方の第３部材は、前記一方の第２部材から上方に連続して延びるようにその一方の第２部材内から上方に引き出され、そして、前記一対の第３部材における他方の第３部材は、前記他方の第２部材から下方に連続して延びるようにその他方の第２部材内から下方に引き出されることを特徴とする請求項２に記載の足場。
【請求項８】
前記一対の第２部材は、前記第１部材内に収容されているとき、前記一方の第２部材と前記他方の第２部材との基端部が、対向位置し、
前記一対の第３部材は、前記第１部材内に収容された前記第２部材内に収容されているとき、前記一方の第３部材と前記他方の第３部材との基端部が、対向位置することを特徴とする請求項７に記載の足場。
【請求項９】
前記支柱材の端部には、前記支柱を構成する継足し支柱材を接続可能とする端部接続具が設けられていることを特徴とする請求項１ないし８のいずれか１項に記載の足場。
【請求項１０】
前記足場の下端部分には、移動のための複数の車輪と、その車輪を回転させるための原動機とが設けられていることを特徴とする請求項１ないし９のいずれか１項に記載の足場。
【請求項１１】
前記車輪は、リンク機構により、二つ以上が同時に、その方向を変更可能となっていることを特徴とする請求項１０に記載の足場。
【請求項１２】
足場の支柱を構成する支柱材であって、
筒状に形成された第１部材と、一対の第２部材とを備え、
前記一対の第２部材における一方の第２部材は、前記第１部材から上方に連続して延びるようにその第１部材内から上方に引き出され、そして、前記一対の第２部材における他方の第２部材は、前記第１部材から下方に連続して延びるようにその第１部材内から下方に引き出されることを特徴とする、足場に用いられる支柱材。
【請求項１３】
前記第１部材の端部には、前記支柱と他の支柱とを連結する連結材を接続するための第１接続具が設けられており、
前記第２部材の先端部には、前記支柱と他の支柱とを連結する他の連結材を接続するための第２接続具が設けられていることを特徴とする請求項１２に記載の、足場に用いられる支柱材。
【請求項１４】
前記一対の第２部材は、筒状に形成されており、
一対の第３部材を備え、その一対の第３部材における一方の第３部材は、前記一方の第２部材から上方に連続して延びるようにその一方の第２部材内から上方に引き出され、そして、前記一対の第３部材における他方の第３部材は、前記他方の第２部材から下方に連続して延びるようにその他方の第２部材内から下方に引き出されることを特徴とする請求項１２に記載の、足場に用いられる支柱材。
【請求項１５】
前記支柱の下方には、移動のための車輪が設けられることを特徴とする請求項１２ないし１４のいずれか１項に記載の、足場に用いられる支柱材。
【請求項１６】
請求項１ないし１１のいずれか１項に記載の足場における、支柱材の組立て方法であって、
前記支柱材の複数本を伸ばされていない状態で、少なくとも前記第１部材部分にて、前記連結材を用いて連結し、それら連結された支柱材を、吊り上げるようにして引き伸ばすことを特徴とする、足場における支柱材の組立て方法。
【発明の詳細な説明】
【技術分野】
【０００１】
この発明は、取扱いが容易な、足場、足場に用いられる支柱材、および足場における支柱材の組立て方法に関するものである。
【背景技術】
【０００２】
従来の足場は、一般に、パイプからなる支柱材および水平材、そしてブレース等の各パーツが組み付けられて形成されていた。そして、支柱材においては、単管が用いられ、これら単管が連結されて、足場の支柱部分が構成されていた。
【発明の開示】
【発明が解決しようとする課題】
【０００３】
ところで、前記従来の足場にあっては、その支柱部分は、単管が継ぎ足されて形成されていたため、全体のパーツの点数が多くなっていた。そのため、足場を組み立てる前、あるいは解体した後、すなわち、分解された状態の足場が嵩張り、その取り扱いが面倒であったり、また、足場の組立てに、多くの時間を要していた。
【０００４】
この発明は、上記した従来の欠点を解決するためになされたものであり、その目的とするところは、取扱いが容易となり、かつ、組立てを簡単に行うことができる、足場、足場に用いられる支柱材、および足場における支柱材の組立て方法を提供することにある。
【課題を解決するための手段】
【０００５】
この発明に係る、足場、足場に用いられる支柱材、および足場における支柱材の組立て方法は、前記目的を達成するために、次の構成からなる。すなわち、
請求項１に記載の発明に係る足場は、複数の支柱と、それら支柱を連結する複数の連結材とを備える足場である。ここで、前記支柱を構成する支柱材は、筒状に形成された第１部材と、その第１部材から連続して延びるようにその第１部材内から引き出される第２部材とを備えて、伸縮可能に形成されている。
【０００６】
このように、足場の支柱を構成する支柱材は、第２部材が、筒状に形成された第１部材から引き出されることで、その第１部材から連続して延びることとなる。こうして、支柱材、ひいては支柱は、その長さが確保される。そして、支柱が、複数の連結材によって連結されて、足場が形成される。ここで、支柱材は、第２部材が第１部材内から引き出される前においては、すなわち、支柱材が伸ばされる前においては、第２部材が、第１部材内に収容されており、コンパクト化されている。そして、第２部材を第１部材内から引き出すことで、すなわち、支柱材を伸ばすことで、支柱材を組み立てることができ、この支柱材、ひいては足場は、簡単に組み立てられる。
【０００７】
また、請求項２に記載の発明に係る足場は、請求項１に記載の足場において、前記支柱材における前記第２部材は、一対設けられている。そこで、その一対の第２部材における一方の第２部材は、前記第１部材から上方に連続して延びるようにその第１部材内から上方に引き出される。そして、前記一対の第２部材における他方の第２部材は、前記第１部材から下方に連続して延びるようにその第１部材内から下方に引き出される。このように、第２部材が一対設けられ、それら第２部材が、第１部材に対して上方と下方のそれぞれに引き出されることで、上方あるいは下方の一方のみに引き出される場合と比較して、第２部材の長さを短くすることができ、この支柱材の耐力が高くなる。
【０００８】
また、請求項３に記載の発明に係る足場は、請求項２に記載の足場において、前記一対の第２部材は、前記第１部材内に収容されているとき、前記一方の第２部材と前記他方の第２部材との基端部が、対向位置する。
【０００９】
また、請求項４に記載の発明に係る足場は、請求項１ないし３のいずれか１項に記載の足場において、前記支柱材は、前記第１部材からの前記第２部材の引き出し位置を調整して、その第２部材を前記第１部材に固定する、調整固定手段を備える。このように、調整固定手段により、第２部材は、第１部材からの引き出し位置が調整され、こうして、支柱材の高さ寸法が調整される。
【００１０】
また、請求項５に記載の発明に係る足場は、請求項１ないし４のいずれか１項に記載の足場において、前記第１部材と前記第２部材との間には、前記第２部材が前記第１部材から抜け出るのを阻止する、抜止め手段が設けられている。こうして、抜止め手段により、第２部材は、第１部材から抜け出るのが阻止されるので、第１部材と第２部材とが分離することはなく、取扱いが容易となる。
【００１１】
また、請求項６に記載の発明に係る足場は、請求項１ないし５のいずれか１項に記載の足場において、前記第１部材には、前記複数の連結材における適宜の連結材を接続するための第１接続具が設けられており、前記第２部材の先端部には、前記複数の連結材における適宜の連結材を接続するための第２接続具が設けられている。こうして、第１部材および第２部材に、連結材を接続する第１接続具および第２接続具を設けることで、支柱材、ひいては支柱は、容易に連結される。
【００１２】
また、請求項７に記載の発明に係る足場は、請求項２に記載の足場において、前記一対の第２部材は、筒状に形成されている。そして、前記支柱材は、一対の第３部材を備える。そこで、その一対の第３部材における一方の第３部材は、前記一方の第２部材から上方に連続して延びるようにその一方の第２部材内から上方に引き出される。そして、前記一対の第３部材における他方の第３部材は、前記他方の第２部材から下方に連続して延びるようにその他方の第２部材内から下方に引き出される。このように、支柱材は、第１部材から引き出される一対の第２部材に加えて、一対の第２部材から引き出される一対の第３部材を備えてもよい。そして、この第３部材を備えることで、支柱材が伸ばされる前においては、一層コンパクト化されている。
【００１３】
また、請求項８に記載の発明に係る足場は、請求項７に記載の足場において、前記一対の第２部材は、前記第１部材内に収容されているとき、前記一方の第２部材と前記他方の第２部材との基端部が、対向位置する。そして、前記一対の第３部材は、前記第１部材内に収容された前記第２部材内に収容されているとき、前記一方の第３部材と前記他方の第３部材との基端部が、対向位置する。
【００１４】
また、請求項９に記載の発明に係る足場は、請求項１ないし８のいずれか１項に記載の足場において、前記支柱材の端部には、前記支柱を構成する継足し支柱材を接続可能とする端部接続具が設けられている。これにより、この端部接続具を介して、支柱材に継足し支柱材を接続することで、支柱を長くすることができる。
【００１５】
また、請求項１０に記載の発明に係る足場は、請求項１ないし９のいずれか１項に記載の足場において、前記足場の下端部分には、移動のための複数の車輪と、その車輪を回転させるための原動機とが設けられている。これにより、原動機によって車輪を回転させて、足場を移動させることで、順次作業を行うことができるので、小規模の足場で対応することが可能となる。
【００１６】
また、請求項１１に記載の発明に係る足場は、請求項１０に記載の足場において、前記車輪は、リンク機構により、二つ以上が同時に、その方向を変更可能となっている。こうして、リンク機構という簡単な構造で、車輪の方向が変更される。そして、この車輪の方向が変更されることで、足場を所要の方向に簡単に移動させることができる。
【００１７】
また、請求項１２に記載の発明に係る足場に用いられる支柱材は、足場の支柱を構成する支柱材である。この支柱材は、筒状に形成された第１部材と、一対の第２部材とを備える。ここで、前記一対の第２部材における一方の第２部材は、前記第１部材から上方に連続して延びるようにその第１部材内から上方に引き出される。そして、前記一対の第２部材における他方の第２部材は、前記第１部材から下方に連続して延びるようにその第１部材内から下方に引き出される。
【００１８】
このように、足場の支柱を構成する支柱材は、第２部材が、筒状に形成された第１部材から引き出されることで、その第１部材から連続して延びることとなる。こうして、支柱材は、その長さが確保される。ここで、支柱材は、第２部材が第１部材内から引き出される前においては、すなわち、支柱材が伸ばされる前においては、第２部材が、第１部材内に収容されており、コンパクト化されている。そして、第２部材を第１部材内から引き出すことで、すなわち、支柱材を伸ばすことで、支柱材を組み立てることができ、この支柱材は、簡単に組み立てられる。その上、第２部材は、一対設けられており、それら第２部材が、第１部材に対して上方と下方のそれぞれに引き出されることで、上方あるいは下方の一方のみに引き出される場合と比較して、第２部材の長さを短くすることができ、この支柱材の耐力が高くなる。
【００１９】
また、請求項１３に記載の発明に係る足場に用いられる支柱材は、請求項１２に記載の支柱材において、前記第１部材の端部には、前記支柱と他の支柱とを連結する連結材を接続するための第１接続具が設けられており、前記第２部材の先端部には、前記支柱と他の支柱とを連結する他の連結材を接続するための第２接続具が設けられている。こうして、第１部材および第２部材に、連結材を接続する第１接続具および第２接続具を設けることで、この支柱材、あるいは支柱は、容易に連結される。
【００２０】
また、請求項１４に記載の発明に係る足場に用いられる支柱材は、請求項１２に記載の支柱材において、前記一対の第２部材は、筒状に形成されている。そして、支柱材は、一対の第３部材を備える。そこで、その一対の第３部材における一方の第３部材は、前記一方の第２部材から上方に連続して延びるようにその一方の第２部材内から上方に引き出され、そして、前記一対の第３部材における他方の第３部材は、前記他方の第２部材から下方に連続して延びるようにその他方の第２部材内から下方に引き出される。このように、支柱材は、第１部材から引き出される一対の第２部材に加えて、一対の第２部材から引き出される一対の第３部材を備えてもよい。そして、この第３部材を備えることで、支柱材が伸ばされる前においては、一層コンパクト化されている。
【００２１】
また、請求項１５に記載の発明に係る足場に用いられる支柱材は、請求項１２ないし１４のいずれか１項に記載の支柱材において、前記支柱の下方には、移動のための車輪が設けられる。これにより、車輪を回転させて、足場を移動させることで、順次作業を行うことができるので、小規模の足場で対応することが可能となる。
【００２２】
また、請求項１６に記載の発明に係る支柱材の組立て方法は、請求項１ないし１１のいずれか１項に記載の足場における、支柱材の組立て方法であって、前記支柱材の複数本を伸ばされていない状態で、少なくとも前記第１部材部分にて、前記連結材を用いて連結し、それら連結された支柱材を、吊り上げるようにして引き伸ばす。これにより、支柱材は、伸ばされる前においては、コンパクト化される。そして、連結材を用いて連結された複数本の支柱材を吊り上げるようにして引き伸ばすことで、複数本の支柱材をまとめて組み立てることができ、この支柱材、ひいては足場は、簡単に組み立てられる。
【発明の効果】
【００２３】
以上、詳述したところから明らかなように、この発明に係る、足場、足場に用いられる支柱材、および足場における支柱材の組立て方法によれば、支柱材が伸ばされる前においては、コンパクト化されており、運搬等の取扱いが容易となる。そして、支柱材を伸ばすことで、支柱材を組み立てることができ、支柱材ひいては足場の組立てを簡単に行うことができる。
【発明を実施するための最良の形態】
【００２４】
以下、この発明に係る、足場、足場に用いられる支柱材、および足場における支柱材の組立て方法を実施するための最良の形態を図面に基づいて説明する。
【００２５】
図１ないし図１５は、本発明の一実施の形態を示す。図中符号１は、例えば、改修工事あるいは補修工事等の対象となる、構造物としての、上水、下水、雨水等のタンクであって、図示実施の形態においては、配水池とか貯水池とか調整池等の、例えば略円形状の外周面を備えた、タンクである。２は、前記タンク１の壁１ａおよび屋根１ｂの内側の、改修あるいは補修等の工事に使用される足場であって、タンク１の底版１ｃ上に組み立てられる。
【００２６】
足場２は、複数の支柱３、３と、それら支柱３、３（支柱３と他の支柱３）を連結する複数の連結材４、４を備える。そこで、支柱３を構成する支柱材５は、筒状に形成された第１部材５ａと、筒状に形成されて第１部材５ａから連続して延びるようにその第１部材５ａ内から引き出される第２部材５ｂと、その第２部材５ｂから連続して延びるようにその第２部材５ｂ内から引き出される第３部材５ｃとを、備えて、伸縮可能に形成されている。
【００２７】
詳細には、図４および図５に示すように、支柱材５における第２部材５ｂは、一対設けられており、その一対の第２部材５ｂ、５ｂにおける一方の第２部材５ｂは、第１部材５ａから上方に連続して延びるようにその第１部材５ａ内から上方に引き出される。そして、一対の第２部材５ｂ、５ｂにおける他方の第２部材５ｂは、第１部材５ａから下方に連続して延びるようにその第１部材５ａ内から下方に引き出される。また、支柱材５における第３部材５ｃもまた、一対設けられており、その一対の第３部材５ｃ、５ｃにおける一方の第３部材５ｃは、一方の第２部材５ｂから上方に連続して延びるようにその一方の第２部材５ｂ内から上方に引き出される。そして、一対の第３部材５ｃ、５ｃにおける他方の第３部材５ｃは、他方の第２部材５ｂから下方に連続して延びるようにその他方の第２部材５ｂ内から下方に引き出される。なお、図示実施の形態においては、第１ないし第３部材５ａ、５ｂ、５ｃは、全て、角パイプからなる。そして、これら第１ないし第３部材５ａ、５ｂ、５ｃは、例えばアルミ材からなっている。
【００２８】
ここで、一対の第２部材５ｂ、５ｂは、第１部材５ａ内に収容されているとき、一方の第２部材５ｂと他方の第２部材５ｂとの基端部が、対向位置する。同様にして、一対の第３部材５ｃ、５ｃは、第１部材５ａ内に収容された第２部材５ｂ、５ｂ内に収容されているとき、一方の第３部材５ｃと他方の第３部材５ｃとの基端部が、対向位置するようになっている。
【００２９】
また、支柱材５は、第１部材５ａから第２部材５ｂを引き出したとき、その第２部材５ｂを第１部材５ａに固定する、第１の固定手段６を備えている。具体的には、この第１の固定手段６は、図９に示すように、第１部材５ａに明けられた孔６ａと、第２部材５ｂに明けられた孔６ｂと、これらの孔６ａ、６ｂに挿入されるボルト６ｃと、そのボルト６ｃに螺合するナット６ｄとからなる。同様にして、支柱材５は、第２部材５ｂから第３部材５ｃを引き出したとき、その第３部材５ｃを第２部材５ｂに固定する、第２の固定手段を備えている。ところで、前記第１の固定手段６は、例えば、第１部材５ａの孔６ａまたは／および第２部材５ｂの孔６ｂを、第１部材５ａあるいは第２部材５ｂの長手方向に複数設けて（図示せず）、ボルト６ｃが挿入されるところの、第１部材５ａの孔６ａと第２部材５ｂの孔６ｂとを合わせるようにして、第１部材５ａからの第２部材５ｂの引き出し位置を調整して、その第２部材５ｂを第１部材５ａに固定する、第１の調整固定手段８となっている。同様にして、第２の固定手段は、第２部材５ｂからの第３部材５ｃの引き出し位置を調整して、その第３部材５ｃを第２部材５ｂに固定する、第２の調整固定手段となっている。
【００３０】
そして、第１部材５ａと第２部材５ｂとの間には、第２部材５ｂが第１部材５ａから抜け出るのを阻止する、第１の抜止め手段１０が設けられている。具体的には、この第１の抜止め手段１０は、図１０に示すように、第１部材５ａに溶接等により固定された取付板１０ａと、その取付板１０ａに、例えばボルト１０ｂおよびナット１０ｃを用いて着脱可能に取り付けられるストッパー部材１０ｄと、第２部材５ｂに溶接等により固定されて、前記ストッパー部材１０ｄに内側から当接する被ストッパー部材１０ｅとからなる。同様にして、第２部材５ｂと第３部材５ｃとの間には、第３部材５ｃが第２部材５ｂから抜け出るの阻止する、第２の抜止め手段が設けられている。
【００３１】
また、図６および図９に示すように、第１部材５ａには、前記複数の連結材４、４における適宜の連結材４を接続するための第１接続具１２、１２が固着されている。この第１接続具１２は、図示実施の形態においては、第１部材５ａの各端部および中間部に設けられている。そして、図７に示すように、第２部材５ｂの先端部には、前記複数の連結材４、４における適宜の連結材４（他の連結材４）を接続するための第２接続具１３が固着されている。同様に、図８および図１１に示すように、第３部材５ｃの先端部には、前記複数の連結材４、４における適宜の連結材４を接続するための第３接続具１４が固着されている。ここで、第１部材５ａの各端部に設けられた第１接続具１２、第２部材５ｂに設けられた第２接続具１３、および第３部材５ｃに設けられた第３接続具１４は、垂直板１６と水平板１７とにより構成されている。そして、第１部材５ａの中間部に設けられた第１接続具１２は、垂直板１６のみにより構成されている。そして、垂直板１６には、前記連結材４としての、横継ぎ材４ａおよび側面ブレース４ｂが接続され、水平板１７には、平面ブレース４ｃが接続される（図９参照）。
【００３２】
そして、支柱材５の端部（図示実施の形態においては、第３部材５ｃの先端部）には、支柱３を構成する継足し支柱材１８を接続可能とする端部接続具１９が固着されている。ここで、この端部接続具１９の一例を、支柱材５の上端部側を例に説明すると、図１１に示すように、端部接続具１９は、第３部材５ｃの端部（上端部）に溶接等によって固着された取付板１９ａを有する。一方。継足し支柱材１８には、その端部（基端部）に、例えば、フランジ状の被取付板１９ｂと、補強板１９ｃ、１９ｃとが、例えば溶接等により固着されて、設けられている。そして、被取付板１９ｂと、取付板１９ａとが、例えばボルト１９ｄおよびナット１９ｅを用いて着脱可能に取り付けられる。こうして、継足し支柱材１８は、端部接続具１９を介して、支柱材５に接続される。
【００３３】
また、この足場２は、図１および図２に示すように、足場２自身を移動させる移動手段２０を備えている。詳細には、この移動手段２０として、足場２の下端部分（詳細には、支柱３の下方）には、移動のための車輪２０ａ、２０ａが設けられている。さらに、移動手段２０として、前記車輪２０ａに加えて、足場２の下端部分（詳細には、支柱３の下方）には、その車輪２０ａを回転させるための原動機２０ｂが設けられている。もっとも、この原動機２０ｂは、すべての車輪２０ａ、２０ａに対応して設けられる必要はなく、図２に示すように、タンク１の周方向における中央の列の車輪２０ａに対応して設けられてもよく、また、足場２の進行方向の前側となる列の車輪２０ａ、例えば、タンク１の周方向における一方側の列の車輪２０ａに対応して設けられてもよい。
【００３４】
より詳細には、図１２ないし図１５に示すように、車輪２０ａは、リンク機構により、二つ以上が同時に、その方向を変更可能となっている。ここで、図１２は、移動手段２０を示す正面図、図１３は、その平面図、図１４は、その拡大側面図である。また、図１５は、図１３に対して、車輪の方向を９０°変更した状態を示している。すなわち、移動手段２０は、車輪２０ａおよび原動機２０ｂが備わる移動体２０ｃと、各移動体２０ｃを、ピン２０ｄ、２０ｄを介して繋げる、例えばＬ型の二本のバー材２０ｅ、２０ｅと、それら二本のバー材２０ｅ、２０ｅを相対移動させる方向変更用のジャッキ２０ｆとを備える。こうして、二本のバー材２０ｅ、２０ｅおよび移動体２０ｃ、２０ｃがリンクを構成し、ジャッキ２０ｆによって、車輪２０ａ、２０ａの方向が変更されるようになっている。そして、移動体２０ｃの上部には、この足場２のレベル出しとか高さを微調整するための調整用のジャッキ２０ｇが回動可能に取り付けられる。そこで、このジャッキ２０ｇを介して、支柱材５は、移動体２０ｃに取り付けられる。
【００３５】
次に、支柱材５の組立て方法について説明する。この組立て方法は、図４および図５に示すように、支柱材５の複数本を伸ばされていない状態で、少なくとも第１部材５ａ部分にて、前記連結材４を用いて連結し、それら連結された支柱材５、５を、吊り上げるようにして引き伸ばす。図示実施の形態においては、前後左右の４本の支柱材５、５を、伸ばされていない状態で、第１ないし第３部材５ａ、５ｂ、５ｃ部分にて、連結材４としての横継ぎ材４ａを用いて連結する（図４参照）。そして、これら支柱材５、５の上端に、クレーン等のフックに取り付けた吊り具２１から下がるワイヤー２１ａを繋ぎ、４本の支柱材５、５を同時に引き上げる（図５参照）。その後、支柱材５、５を、連結材４としてのブレース４ｂ、４ｃを用いてさらに連結する。
【００３６】
そして、足場２の組立てにおいては、前記支柱材４の組立て方法で説明した、複数本（図示実施の形態においては４本）の支柱材５、５をユニットとして、各ユニットを連結材４を用いて連結する。そして、必要に応じて、これらユニットと、単体の伸ばされた支柱材５とを、連結材４を用いて連結する。また、必要な高さに応じて、前記支柱材５に、継足し支柱材１８を接続し、その継足し支柱材１８、１８同士とか、継足し支柱材１８と支柱材５とを、連結材４を用いて連結する。図示実施の形態においては、タンク１の径方向において、壁１ａ側の１列の支柱３は、支柱材５のみからなり、タンク１の中心１ｄに向かう２列の支柱３は、支柱材５と、継足し支柱材１８としての一本のパイプ材からなり、さらにタンク１の中心に向かう３列の支柱３は、支柱材５と、継足し支柱材１８としての２本のパイプ材からなる（図１参照）。そしてこの２本のパイプ材においても、支柱材５と同様に、一方のパイプ材から他方のパイプ材が引き出されるようになっている。こうして、タンク１の径方向には、支柱３が６列並んでいる。そして、タンク１の周方向においては、支柱３が３列並んでいる（図２参照）。なお、図中、符号２２は、梯子、２３は、階段である。２４は、作業床、２５は、手摺である。また、２６は、タンク１の壁１ａに近づくための、張出し部である。
【００３７】
次いで、以上の構成からなる足場２の作用効果について説明する。この足場２の支柱３を構成する支柱材５は、第２部材５ｂが、筒状に形成された第１部材５ａから引き出されることで、その第１部材５ａから連続して延び、そして、第３部材５ｃが、筒状に形成された第２部材５ｂから引き出されることで、その第２部材５ｂから連続して延びることとなる。こうして、支柱材５、ひいては支柱３は、その長さが確保される。そして、支柱３が、複数の連結材４、４によって連結されて、足場２が形成される。ここで、支柱材５は、第２部材５ｂが第１部材５ａ内から引き出される前であって、第３部材５ｃが第２部材５ｂ内から引き出される前においては、すなわち、支柱材５が伸ばされる前においては、第２部材５ｂが、第１部材５ａ内に収容され、そして、第３部材５ｃが、第２部材５ｂ内に収容されており、コンパクト化されている。こうして、支柱材５がコンパクト化されることで、支柱材５、ひいては解体された足場２の、運搬等の取扱いが容易となる。そして、第２部材５ｂを第１部材５ａ内から引き出し、そして、第３部材５ｃを第２部材５ｂ内から引き出すことで、すなわち、支柱材５を伸ばすことで、この支柱材５を組み立てることができ、この支柱材５ひいては足場２の組立てを簡単に行うことができる。特に、支柱材５の組立てにあたって、連結材４を用いて連結された複数本の支柱材５、５を吊り上げるようにして引き伸ばすことで、複数本の支柱材５、５をまとめて組み立てることができ、この支柱材５、５、ひいては足場２は、一層簡単に組み立てられる。
【００３８】
また、このとき、支柱材５における第２部材５ｂは、一対設けられ、それら第２部材５ｂ、５ｂが、第１部材５ａに対して上方と下方のそれぞれに引き出される。同様に、第３部材５ｃは、一対設けられ、それら第３部材５ｃ、５ｃが、第２部材５ｂ、５ｂに対して上方と下方のそれぞれに引き出される。こうして、第２部材５ｂ、５ｂおよび第３部材５ｃ、５ｃが、上方と下方のそれぞれに引き出されることで、上方あるいは下方の一方のみに引き出される場合と比較して、第２部材５ｂおよび第３部材５ｃの長さを短くすることができ、この支柱材５の耐力は高くなる。
【００３９】
また、支柱材５は、第１の調整固定手段８および第２の調整固定手段により、第２部材５ｂが、第１部材５ａからの引き出し位置が調整され、そして、第３部材５ｃが、第２部材５ｂからの引き出し位置が調整される。こうして、支柱材５の高さ寸法が調整され、足場２の高さを状況に応じて調整することができる。しかも、支柱材５の端部に設けられた端部接続具１９を介して、支柱材５に継足し支柱材１８を接続することで、支柱３を、支柱材５以上に長くすることができる。こうして、第１の調整固定手段８と第２の調整固定手段の他に、状況に応じて支柱材５に継足し支柱材１８を接続することで、足場２の高さ調整の幅を増すことができる。
【００４０】
また、支柱材５は、第１の抜止め手段１０および第２の抜止め手段により、第２部材５ｂが、第１部材５ａから抜け出るのが阻止され、そして、第３部材５ｃが、第２部材５ｂから抜け出るのが阻止される。したがって、第１部材５ａと第２部材５ｂとが分離することはなく、また、第２部材５ｂと第３部材５ｃとが分離することはなく、取扱いが一層容易となる。さらに、第１部材５ａおよび第２部材５ｂ、そして第３部材５ｃに、連結材４を接続するところの、第１接続具１２および第２接続具１３、そして第３接続具１４を設けることで、支柱材５、５、ひいては支柱３、３は、容易に連結される。
【００４１】
また、足場２に備わる車輪２０ａを回転させて、足場２を移動させることで、順次作業を行うことができるので、小規模の足場２で対応することが可能となる。しかも、車輪２０ａは、原動機２０ｂによって回転するため、足場２を容易に移動させることができる。その上、車輪２０ａの方向は、リンク機構という簡単な構造で変更される。このように、この車輪２０ａの方向が変更されることで、足場２を所要の方向に簡単に移動させることができる。図示実施の形態においては、足場２は、タンク１の径方向における半径部分をカバーするように配置されている。そして、この足場２を、タンク１の周方向に順次移動させることで、タンク１全体の作業を行うことができる。
【００４２】
なお、本発明は、上述した実施の形態に限定されるわけではなく、その他種々の変更が可能である。例えば、支柱材５は、第１部材５ａの他に、第２部材５ｂと第３部材５ｃとが、それぞれ一対設けられて、それらが上方と下方とに引き出されるが、第２部材５ｂと第３部材５ｃとが、それぞれ一つ設けられて、上方または下方の一方にのみ引き出されてもよい。また、このように、支柱材５は、第１部材５ａと第２部材５ｂと第３部材５ｃとを備えて、伸縮可能に形成されているが、第３部材５ｃを備えることなく、第１部材５ａと第２部材５ｂとで伸縮可能に形成されてもよい。また、反対に、支柱材５は、第１ないし第３部材５ａ、５ｂ、５ｃに加えて、第３部材５ｃからさらに連続して延びるようにその第３部材５ｃ内から引き出される第４部材等を備えて、伸縮可能に形成されてもよい。
【００４３】
また、足場２の移動手段２０として、車輪２０ａと原動機２０ｂとが設けられているが、車輪２０ａのみで原動機２０ｂが設けられなくともよい。さらには、足場２に移動手段２０が設けられることなく、固定式の足場であってもよい。また、車輪２０ａは、底版１ｃの上に、直接載せられなくとも、例えば、底版１ｃの上に、レールを載せ、そのレール上を、車輪２０ａが回転して移動するようにしてもよい。
【００４４】
また、この足場２は、タンク１の内側の工事に使用されるものでなくとも、外側の工事に使用されるものであってもよい。さらに、足場２は、タンク１の改修工事とか補修工事に用いられるものでなくとも、タンク１の建設に用いられるものであってもよい。そして、構造物は、タンク１に限定されることはなく、橋、建物等、その他の構造物であってもよい。
【図面の簡単な説明】
【００４５】
【図１】この発明の一実施の形態の、正面図である。
【図２】同じく、拡大側面図である。
【図３】同じく、拡大平面図である。
【図４】同じく、伸ばされる前の支柱材を示す正面図である。
【図５】同じく、伸ばされた後の支柱材を示す正面図である。
【図６】同じく、第１部材を示す図であって、（イ）は、正面図、（ロ）は、側面図である。
【図７】同じく、第２部材を示す図であって、（イ）は、正面図、（ロ）は、側面図である。
【図８】同じく、第３部材を示す図であって、（イ）は、正面図、（ロ）は、側面図である。
【図９】同じく、第１部材と第２部材との接続部分を示す正面図である。
【図１０】同じく、第１部材と第２部材との接続部分を示す縦断面図である。
【図１１】同じく、支柱材と継足し支柱材との接続部分を示す正面図である。
【図１２】同じく、移動手段を示す正面図である。
【図１３】同じく、移動手段を示す平面図である。
【図１４】同じく、移動手段を示す拡大側面図である。
【図１５】同じく、移動手段における車輪の方向を９０°変更した状態を示す平面図である。
【符号の説明】
【００４６】
２  足場
３  支柱
４  連結材
５  支柱材
５ａ  第１部材
５ｂ  第２部材
５ｃ  第３部材
８  第１の調整固定手段（調整固定手段）
１０  第１の抜止め手段（抜止め手段）
１２  第１接続具
１３  第２接続具
１８  継足し支柱材
１９  端部接続具
２０ａ  車輪
２０ｂ  原動機
【図１】
2005090061.tif 000003
【図２】
2005090061.tif 000004
【図３】
2005090061.tif 000005
【図４】
2005090061.tif 000006
【図５】
2005090061.tif 000007
【図６】
2005090061.tif 000008
【図７】
2005090061.tif 000009
【図８】
2005090061.tif 000010
【図９】
2005090061.tif 000011
【図１０】
2005090061.tif 000012
【図１１】
2005090061.tif 000013
【図１２】
2005090061.tif 000014
【図１３】
2005090061.tif 000015
【図１４】
2005090061.tif 000016
【図１５】
2005090061.tif 000017